(57)【要約】      （修正有）【課題】ペット用ゲージ等の構造体の隣り合う線材の隙間に壊れることなく挟み込んで保持することができ、線材の隙間から外方向に押し出されて落下するおそれもないペット用固形フードを提供する。【解決手段】ペット用ゲージ等の構造体の隣り合う線材５の隙間ｔに挟み込んで、この線材５の反力で保持するためのペット用固形フード１０である。フード本体１１の幅方向の両側部に、線材５がそれぞれ嵌まり込み可能な凹部１１ａが形成され、各凹部１１ａの底幅は、線材５の隙間ｔよりも僅かに広く設定されている。各凹部１１ａの底が線材５を押し広げながら嵌め込まれることで、フード本体１１は、線材５の反力（撓み強度）で挟み込まれて保持されるようになる。【選択図】図１
0003177088.tif 000002
【実用新案登録請求の範囲】
【請求項１】
一定の隙間を隔てて横並びで配列された複数本の可撓性線材を少なくとも一部に有する構造体で、隣り合う前記線材の隙間に挟み込んで、この線材の反力で保持するためのペット用固形フードであって、
前記線材の反力で壊れない硬度に設定されて、前記線材の隙間よりも広い幅と、前記線材の内外方向に延在する長さとに形成されたビスケット形状のフード本体を有し、
このフード本体の幅方向の両側部に、前記線材がそれぞれ嵌まり込み可能な凹部が形成され、各凹部の底幅は、前記線材の隙間よりも僅かに広く設定され、この凹部を境にして、前記内方向に延在する食用部と、前記外方向に延在する把持部とに区分けされて、
前記食用部を前記内方向に延在させ、前記把持部を前記外方向に延在させた状態で、前記各凹部の底が前記線材を押し広げながら嵌め込まれることで、フード本体は、前記線材の反力で挟み込まれて保持されるようになることを特徴とするペット用固形フード。
【請求項２】
前記食用部の長さは、前記把持部の長さよりも長く形成されていることを特徴とする請求項１に記載のペット用固形フード。
【請求項３】
前記フード本体の食用部と把持部の少なくとも一方は、前記線材の隙間よりも狭い厚みに形成され、このフード本体は、前記線材の隙間に厚みを合わせた状態で差し込まれ、各凹部の位置で約９０度に回されることにより、各凹部の底が前記線材を押し広げながら嵌め込まれることで、フード本体は、前記線材の反力で挟み込まれて保持されるようになることを特徴とする請求項１または２に記載のペット用固形フード。
【請求項４】
前記硬度は、ＪＩＳ  Ｋ  ６２５４の規格で、１５以上であることを特徴とする請求項１〜３のいずれか一項に記載のペット用固形フード。
【請求項５】
前記フード本体の把持部は、矢尻状に形成され、このフード本体は、矢尻状の把持部から前記線材の隙間に差し込まれることで、前記線材を押し広げるようになり、前記各凹部が前記線材に合致した差し込み位置で、前記各凹部の底が前記線材を押し広げた状態で嵌め込まれることで、前記線材の反力で挟み込まれて保持されるようになることを特徴とする請求項１，２，４のいずれか一項に記載のペット用固形フード。
【考案の詳細な説明】
【技術分野】
【０００１】
本考案は、ペット用固形フードに関する。
【背景技術】
【０００２】
従来、平面視でＩ字型に成形したビスケット形状のペット用固形フードがある（特許文献１参照）。このペット用固形フード（ペット用チュー物品）は、犬、猫が咀嚼することにより、歯石の形成を防ぐとともに、歯石を除去することで、口腔衛生を改善するためのものである。また、その大きさは、摂取した動物の消化管内で詰まらない程に十分小さい寸法及び形状に制限されている。
【０００３】
そして、チュー基材としては、咀嚼性消耗性材料、例えば種々の組成物のビスケット等が挙げられているが、このビスケット形状のペット用固形フードは、食器用トレー等に入れたものを、犬等が４足起立姿勢で食することを想定している。
【０００４】
ところで、一定の隙間を隔てて横並びで配列された複数本の可撓性線材を少なくとも一部に有するペット用ゲージ（ケージとも言う。以下同様。）若しくはサークル内で、ウサギ、モルモット、チンチラ、プレーリードッグ程度の大きさの愛玩動物や、ハムスター、リス、デグー程度の大きさの愛玩動物を飼育することがある（特許文献２参照）。
【０００５】
ここで、ゲージ等の内部でウサギ等が２足起立姿勢（つまり、後足で直立した姿勢）をするときの仕草が可愛いことが多い。そこで、おやつ感覚でペット用固形フードを与える際に、ゲージ等の所定に高さ位置にある隣り合う線材の隙間に、ペット用固形フードを挟み込んで保持できれば、２足起立姿勢でペット用固形フードを食しているウサギ等の写真を撮る等して楽しむことができる。
【先行技術文献】
【特許文献】
【０００６】
【特許文献１】特表２００９−５２９９１８号公報
【特許文献２】特開平１０−１５０８７６号公報
【考案の概要】
【考案が解決しようとする課題】
【０００７】
しかしながら、ビスケット形状のペット用固形フードは、ゲージ等の隣り合う線材を押し広げながら隙間に嵌め込む際に、線材の反力（撓み強度）で壊れることが多いから、線材の隙間に挟み込んで保持できないという問題があった。
【０００８】
また、仮に線材の隙間に挟み込んで保持できたとしても、ウサギ等が食する際に口で外方向に押すことで、線材の隙間から外方向に押し出されて落下するという問題があった。
【０００９】
本考案は、前記問題を解消するためになされたもので、ペット用ゲージ等の構造体の隣り合う線材の隙間に壊れることなく挟み込んで保持することができ、線材の隙間から外方向に押し出されて落下するおそれもないペット用固形フードを提供することを目的とするものである。
【課題を解決するための手段】
【００１０】
前記課題を解決するために、本考案は、一定の隙間を隔てて横並びで配列された複数本の可撓性線材を少なくとも一部に有する構造体で、隣り合う前記線材の隙間に挟み込んで、この線材の反力で保持するためのペット用固形フードであって、前記線材の反力で壊れない硬度に設定されて、前記線材の隙間よりも広い幅と、前記線材の内外方向に延在する長さとに形成されたビスケット形状のフード本体を有し、このフード本体の幅方向の両側部に、前記線材がそれぞれ嵌まり込み可能な凹部が形成され、各凹部の底幅は、前記線材の隙間よりも僅かに広く設定され、この凹部を境にして、前記内方向に延在する食用部と、前記外方向に延在する把持部とに区分けされて、前記食用部を前記内方向に延在させ、前記把持部を前記外方向に延在させた状態で、前記各凹部の底が前記線材を押し広げながら嵌め込まれることで、フード本体は、前記線材の反力で挟み込まれて保持されるようになることを特徴とするペット用固形フードを提供するものである。
【００１１】
前記食用部の長さは、前記把持部の長さよりも長く形成されている構成とすることができる。
【００１２】
前記フード本体の食用部と把持部の少なくとも一方は、前記線材の隙間よりも狭い厚みに形成され、このフード本体は、前記線材の隙間に厚みを合わせた状態で差し込まれ、各凹部の位置で約９０度に回されることにより、各凹部の底が前記線材を押し広げながら嵌め込まれることで、フード本体は、前記線材の反力で挟み込まれて保持されるようになる構成とすることができる。
【００１３】
前記硬度は、ＪＩＳ  Ｋ  ６２５４の規格で、１５以上である構成とすることができる。
【００１４】
前記フード本体の把持部は、矢尻状に形成され、このフード本体は、矢尻状の把持部から前記線材の隙間に差し込まれることで、前記線材を押し広げるようになり、前記各凹部が前記線材に合致した差し込み位置で、前記各凹部の底が前記線材を押し広げた状態で嵌め込まれることで、前記線材の反力で挟み込まれて保持されるようになる構成とすることができる。
【考案の効果】
【００１５】
本考案によれば、ビスケット形状のフード本体は、構造体の隣り合う線材の反力（撓み強度）で壊れない硬度に設定されているとともに、幅方向の両側部に、線材がそれぞれ嵌まり込み可能な凹部が形成されて、各凹部の底幅は、線材の隙間よりも僅かに広く形成されている。したがって、各凹部の底で線材を押し広げながら嵌め込むことで、フード本体は、線材の反力で挟み込まれて保持されるようになる。
【００１６】
このため、ビスケットのようなペット用固形フードであっても、線材の隙間に、壊れることなく挟み込んで保持できるようになる。また、ウサギ等が食する際に口で外方向に押しても、凹部が線材に当接してストッパーの役割を果たすので、線材の隙間から外方向に押し出されて落下するおそれもない。
【００１７】
一方、食用部の長さは、把持部の長さよりも長く形成すれば、食用部は、凹部まで食されれば、押されたときに線材の隙間から外方向に押し出されて落下するが、把持部を最小限の長さとし、その分、食用部を長くすることで、長さが等しいタイプと比較して食用量が増加するので、無駄が少なくなる。
【００１８】
また、フード本体の食用部と把持部の少なくとも一方を線材の隙間よりも狭い厚みに形成すれば、ペット用ゲージ等の構造体の内外方のどちらからでも、フード本体を線材の隙間に差し込み、凹部の位置で約９０度に回すことにより、凹部の底が線材を押し広げながら嵌め込まれることで、フード本体は、線材の反力で挟み込まれて保持されるようになる。
【００１９】
したがって、差し込んで回すという簡単な操作だけで、線材の隙間に挟み込んで保持できるようになる。また、フード本体を回す操作で凹部の底が線材を押し広げながら嵌め込まれるから、操作力で軽いので、幼児でも楽に操作することができる。
【００２０】
さらに、硬度が、ＪＩＳ  Ｋ  ６２５４の規格で、１５以上であれば、壊れないビスケット形状のフード本体とすることができる。
【００２１】
また、フード本体の把持部を矢尻状に形成すれば。ペット用ゲージ等の構造体の内方から、フード本体の矢尻状の把持部を線材の隙間に差し込むと線材が押し広げられ、凹部が線材に合致した差し込み位置で、凹部の底が線材を押し広げた状態で嵌め込まれることで、フード本体は、線材の反力で挟み込まれて保持されるようになる。
【００２２】
したがって、フード本体を差し込むという簡単な操作だけで、線材の隙間に挟み込んで保持できるようになる。
【図面の簡単な説明】
【００２３】
【図１】本考案の実施形態に係る略四角状のフード本体であり、（ａ）は線材の隙間に挟み込んで保持した内方側からの斜視図、（ｂ）は線材の隙間に差し込んだ外方側からの斜視図、（ｃ）は線材の隙間に挟み込んで保持した外方側からの斜視図である。
【図２】本考案の実施形態に係る略楕円状のフード本体であり、（ａ）は線材の隙間に挟み込んで保持した内方側からの斜視図、（ｂ）は線材の隙間に差し込んだ外方側からの斜視図、（ｃ）は線材の隙間に挟み込んで保持した外方側からの斜視図である。
【図３】（ａ）は線材の隙間に差し込んだフード本体の凹部の断面図、（ｂ）は線材の隙間に挟み込んで保持したフード本体の凹部の断面図、（ｃ）は別実施形態のフード本体を線材の隙間に挟み込んで保持した外方側からの斜視図である。
【図４】（ａ）は略四角状のフード本体の平面図、（ｂ）は略楕円状のフード本体の平面図、（ｃ）は（ａ）（ｂ）のフード本体の側面図である。
【図５】（ａ）は人が食する市販のビスケットの硬度を測定した図表、（ｂ）は本実施形態のペット用固形フードのフード本体の硬度を測定した図表である。
【図６】（ａ）〜（ｄ）は市販のペット用ゲージを測定した図表、（ｅ）はかじり木の硬度を測定した図表である。
【図７】（ａ）〜（ｅ）はフード本体が線材の隙間に反力で挟み込まれて保持されるための寸法条件を示すための説明図である。
【図８】（ａ）はハムスター用ケージ、（ｂ）のウサギ用ケージの寸法条件の図表である。
【図９】ペット用ゲージの斜視図である。
【考案を実施するための形態】
【００２４】
以下、本考案を実施するための形態について、図面を参照しながら詳細に説明する。図９は、ウサギのような小動物（ペット）１を飼育するためのペット用ゲージ（構造体）２の斜視図である。
【００２５】
ゲージ２は、四角形状のトレー状底部材３の上部に、四角形状の格子状ゲージ部材４を取付けて構成されている。ゲージ部材４は、天井面部４ａと四周囲の側壁面部４ｂとで形成されて、前面となる側壁面部４ｂには、出し入り用扉４ｃが取付けられている。
【００２６】
ゲージ部材４の天井面部４ａと側壁面部４ｂは、一定の隙間ｔ〔図１参照〕を隔てて横並びで配列された多数本の可撓性線材５で形成されている。なお、天井面部４ａと側壁面部４ｂは、一部だけが線材５で形成されているものでもあってもよい。また、天井面部４ａは取り外し可能であってもよい。
【００２７】
この線材５は、ステンレスまたはクロームメッキや塗装した鉄の丸軸材製で、その太さは約１〜３ｍｍである。そして、横方向の補強用線材６で補強された部分から離れた位置で、隣り合う線材５を指等で押し拡げると、隙間ｔ’〔図３（ｂ）参照〕に拡がるとともに、隣り合う線材５から指等を離すと、元の隙間ｔ〔図３（ａ）参照〕に反力で復元するように、撓み可能となっている。なお、必ずしも金属製の丸軸材製である必要はない。
【００２８】
図１および図２に示すように、本実施形態のペット用固形フード１０は、隣り合う線材５の隙間ｔに挟み込んで、この線材５の反力（撓み強度）で保持するものである。線材５の反力は、通常のペット用ゲージ２では、例えば、バネ秤で測定すれば約１〜４Ｋｇｆ程度である。
【００２９】
図６（ａ）〜（ｄ）は、市販のペット用ゲージを測定した図表である。それぞれ１０個の検体を測定した。
【００３０】
図６（ａ）の商品Ａ（ハムスター用）は、線材５の平均直径値は１．６５３ｍｍで、隙間ｔの平均値は８．６２５ｍｍであり、撓み強度の平均値は１．７７３Ｋｇｆであった。
【００３１】
図６（ｂ）の商品Ｂ（ハムスター用）は、線材５の平均直径値は１．５５６ｍｍで、隙間ｔの平均値は８．４６３ｍｍであり、撓み強度の平均値は１．９１Ｋｇｆであった。
【００３２】
図６（ｃ）の商品Ｃ（ウサギ用）は、線材５の平均直径値は２．６０５ｍｍで、隙間ｔの平均値は２１．７８７ｍｍであり、撓み強度の平均値は２．３６Ｋｇｆであった。
【００３３】
図６（ｄ）の商品Ｄ（ウサギ用）は、線材５の平均直径値は２．９８４ｍｍで、隙間ｔの平均値は２３．８０８ｍｍであり、撓み強度の平均値は２．６７２Ｋｇｆであった。
【００３４】
ペット用固形フード１０は、図４に示すように、隣り合う線材５の隙間ｔよりも広い幅Ｗと、線材５の内外方向に延在する長さＬと、隣り合う線材５の隙間ｔよりも狭い厚みＴに形成されたビスケット形状のフード本体１１を有している。なお、厚みＴは、後述する図３（ｃ）のように、フード本体１１を線材５の隙間ｔに厚みを合わせた状態で、厚みに沿って隣り合う線材５の隙間ｔに差し込まない場合には、隣り合う線材５の隙間ｔよりも狭くする必要がない。
【００３５】
フード本体１１は、人が食する市販のビスケットと同様に、小麦粉、砂糖等を原材料とする生地をビスケット形状（図１は扁平な略四角状の例、図２は扁平な略楕円状の例）に成形して、オーブン等で焼き上げたものであるが、その硬度は、隣り合う線材５の反力で容易に壊れない硬度に設定されている。この硬度については、後で説明する。
【００３６】
フード本体１１の幅方向の両側部に、隣り合う線材５がそれぞれ嵌まり込み可能な凹部１１ａが形成され、各凹部１１ａの底幅Ｗ１は、隣り合う線材５の隙間ｔよりも僅かに広く設定されている。そして、この凹部１１ａを境にして、ゲージ２の内方向に延在する食用部１１ｂと、ゲージ２の外方向に延在する把持部１１ｃとに区分けされている。
【００３７】
食用部１１ｂの長さＬ１は、把持部１１ｃの長さＬ２よりも長く（約４〜５倍程度）なるように形成されている。
【００３８】
そして、フード本体１１の把持部１１ｃを指で把持して、食用部１１ｂをゲージ２の内方向に延在させ、把持部１１ｃをゲージ２の外方向に延在させるように、図１（ｂ）、図２（ｂ）、図３（ａ）のように、ゲージ２の外方向から隣り合う線材５の隙間ｔに厚みＴを合わせた状態で差し込む（矢印ａ参照）。ついで、各凹部１１ａの位置で約９０度に右若しくは左方向に回すことにより（矢印ｂ参照）、図１（ｃ）、図２（ｃ）、図３（ｂ）のように、各凹部１１ａの底が隣り合う線材５を押し広げながら嵌め込まれる。これにより、フード本体１１は、隣り合う線材５の反力で挟み込まれて保持されるようになる。
【００３９】
ここで、図１の扁平な略四角状〔パイナップル（果物）型〕のフード本体１１と、図２の扁平な略楕円状〔ひまわり（種子）型〕のフード本体１１とは、凹部１１ａとの位置関係で、「魚型」と総称することもできる。
【００４０】
図４（ａ）（ｃ）は、扁平な略四角状のフード本体１１のサイズ例である。長さＬは４５ｍｍ（食用部１１ｂの長さＬ１は３５ｍｍ、把持部１１ｃの長さＬ２は１０ｍｍ）、幅Ｗは２５ｍｍ、底幅Ｗ１は２２ｍｍ、最大厚みＴは１０ｍｍである。このサイズは、ウサギのような小動物１に適している。
【００４１】
図４（ｂ）（ｃ）は、扁平な略楕円状のフード本体１１のサイズ例である。長さＬは４５ｍｍ（食用部１１ｂの長さＬ１は３０ｍｍ、把持部１１ｃの長さＬ２は１５ｍｍ）、最大幅Ｗは２０ｍｍ、底幅Ｗ１は１２ｍｍ、厚みＴは７〜１０ｍｍである。このサイズは、ハムスターのような小動物１に適している。
【００４２】
なお、図４（ａ）〜（ｃ）のサイズ例においては、底幅Ｗ１は、隣り合う線材５の隙間ｔよりも僅かに広く設定されているものであるが、図６（ａ）〜（ｄ）の検体の隙間ｔよりも僅かに広く設定されていないものもある。したがって、図６（ａ）〜（ｄ）の検体用に用いるときには、検体の隙間ｔよりも僅かに広く設定された底幅Ｗ１のフード本体１１とする。
【００４３】
また、フード本体１１は、線材５の反力で容易に壊れない硬度に設定する必要がある。フード本体１１の硬度を高くするには、例えば、小麦粉のタンパク質の増量、水分量の減量、焼成前のローラ圧力の増加等で対処することができる。
【００４４】
図５（ａ）は、人が食する市販ビスケットの硬度を測定した図表である。３種類のブランクＡ．Ｂ，Ｃを用いて、それぞれ５個の検体１〜５（合計１５個の検体）を用意した。
【００４５】
硬度計は、高分子計器株式会社製の商品名〔アスカーゴム硬度計Ｄ型〕を使用し、ＪＩＳ  Ｋ  ６２５４の規格に基づいて硬度を測定した。
【００４６】
その結果、１５個の検体の最大値が１０、最小値が２で、平均値が５．６であった。１５個の検体は、ゲージ２の線材５を押し広げながら隙間ｔに嵌め込む際に大部分が壊れたので、線材５の隙間ｔに挟み込んで保持できない検体が多かった。
【００４７】
図５（ｂ）は、本実施形態のペット用固形フード１０のフード本体１１の硬度を測定した図表である。検体１〜１５（合計１５個の検体）を用意した。
【００４８】
硬度計は、高分子計器株式会社製の商品名〔アスカーゴム硬度計Ｄ型〕を使用し、ＪＩＳ  Ｋ  ６２５４の規格に基づいて硬度を測定した。
【００４９】
その結果、最大値が２６、最小値が２０で、平均値が２２．８であった。１５個の検体は、ゲージ２の線材５を押し広げながら隙間ｔに嵌め込む際に全て壊れなかったので、線材５の隙間ｔに挟み込んで保持できた。
【００５０】
このことから、ペット用固形フード１０のフード本体１１の硬度は、ＪＩＳ  Ｋ  ６２５４の規格で、１５〜４０程度が好ましく、より好ましくは、２０〜２６である。硬度が１５以下であると、壊れる確率が高くなるので好ましくない。なお、最大硬度は、ウサギやハムスターのような小動物１は、歯で「かじり木」をかじる習性があるほどであるから、下記「ポプラ」のように６０以上でも可能である。
【００５１】
図６（ｅ）において、「かじり木」の実測データを説明する。「かじり木」の材質は、「桐」、「ポプラ」、「モミ」の３種が一般的であり、それぞれ１０個の検体を測定した。
【００５２】
「桐」は、最大値が５２、最小値が２４で、平均値が３７．８であった。「ポプラ」は、最大値が６０、最小値が４８で、平均値が５１．３であった。「モミ」は、最大値が４９、最小値が３７で、平均値が４２．３であった。
【００５３】
ここで、本実施形態のペット用固形フード１０のフード本体１１の硬度は、前述した市販ビスケットの硬度と比較すると、最大値と最小値では２〜１３倍の硬度で、平均では約４倍の硬度であった。
【００５４】
図４（ａ）〜（ｃ））は、扁平な略四角状および略楕円状のフード本体１１のサイズ例であったが、図７（ａ）〜（ｅ）は、フード本体１１をゲージ２の線材５の隙間ｔに反力で挟み込まれて保持されるための寸法条件を示すための説明図である。
【００５５】
また、図８（ａ）は、線材５の直径が１ｍｍ、線材５の隙間ｔが８ｍｍのケージ２であり、ハムスター、リス、デグー程度の大きさの愛玩動物に適している。
【００５６】
さらに、図８（ｂ）は、線材５の直径が３ｍｍ、線材５の隙間ｔが２２ｍｍのケージ２であり、ウサギ、モルモット、チンチラ、プレーリードッグ程度の大きさの愛玩動物に適している。
【００５７】
図７と図８において、ｄは凹部１１ａの寸法、ｅは把持部１１ｃの寸法（Ｌ１）、ｆは把持部１１ｃの寸法、ｇは凹部１１ａの底幅（Ｗ１）、ｈは把持部１１ｃの幅寸法、ｉは凹部１１ａの厚さ寸法、ｊは線材５の太さ、ｋは隙間ｔの寸法である。
【００５８】
図８（ａ）のハムスター用ケージ２と図８（ｂ）のウサギ用ケージ２では、凹部１１ａの寸法ｄは、ｄ≧ｊで、線材５の太さよりも大きい。把持部１１ｃの寸法（Ｌ１）ｅは、手で持てる幅（大きさ）と線材５に固定する強度があればよい。なお、ＦＲＥＥは、寸法制限が無いことを意味している。把持部１１ｃの寸法ｆは、ｆ＜ｋで、線材５の隙間ｔより小さい。凹部１１ａの底幅（Ｗ１）ｇは、ｇ≧ｋで、線材５の隙間ｔより若干大きい。把持部１１ｃの幅寸法ｈは、ｈ≧ｋで、線材５の隙間ｔより固定できるように大きい。凹部１１ａの厚さ寸法ｉは、ｉ＜ｋで、線材５の隙間ｔより小さい。
【００５９】
前記のようなペット用固形フード１０であれば、ビスケット形状のフード本体１１は、隣り合う線材５の反力で壊れない硬度に設定されているとともに、幅方向の両側部に、線材５がそれぞれ嵌まり込み可能な凹部１１ａが形成されて、各凹部１１ａの底幅Ｗ１は、線材５の隙間ｔよりも僅かに広く形成されている。したがって、各凹部１１ａの底で線材５を押し広げながら嵌め込むことで、フード本体１１は、線材５の反力で挟み込まれて保持されるようになる。
【００６０】
このため、ビスケットのようなペット用固形フード１０であっても、線材５の隙間ｔに、壊れることなく挟み込んで保持できるようになる。また、ウサギ等が食する際に、口で外方向に押しても、凹部１１ａが線材５に当接してストッパーの役割を果たすので、線材５の隙間ｔから外方向に押し出されて落下するおそれもない。
【００６１】
また、食用部１１ｂの長さは、把持部１１ｃの長さよりも長く形成することで、食用部１１ｂは、凹部１１ａまで食されれば、口で押されたときに線材５の隙間ｔから外方向に押し出されて落下するが、把持部１１ｃを最小限の長さとし、その分、食用部１１ｂを長くすることで、長さが等しいタイプと比較して食用量が増加するので、無駄が少なくなる。
【００６２】
さらに、フード本体１１の食用部１１ｂと把持部１１ｃの少なくとも一方は、線材５の隙間ｔよりも狭い厚みに形成すれば、フード本体１１を線材５の隙間ｔに厚みを合わせた状態で、ペット用ゲージ２の内外方のどちらからでも、フード本体１１を線材５の隙間ｔに差し込むことができる。
【００６３】
そして、凹部１１ａの位置で約９０度に回すことにより、凹部１１ａの底が隣り合う線材５を押し広げながら嵌め込まれることで、フード本体１１は、線材５の反力で挟み込まれて保持されるようになる。
【００６４】
したがって、フード本体１１を差し込んで回すという簡単な操作だけで、線材５の隙間ｔに挟み込んで保持できるようになる。また、フード本体１１を回す操作で凹部１１ａの底が線材５を押し広げながら嵌め込まれるから、操作力で軽いので、幼児でも楽に操作することができる。
【００６５】
また、フード本体１１の硬度は、ＪＩＳ  Ｋ  ６２５４の規格で、１５以上であるから、壊れないビスケット形状のフード本体１１とすることができる。
【００６６】
前記実施形態は、フード本体１１を差し込んで回すものであったが、図３（ｃ）のように、フード本体１１の把持部１１ｃを矢尻状に形成すれば、フード本体１１を矢尻状の把持部１１ｃから線材５の隙間ｔに差し込むことができる（矢印ｃ参照）。そして、矢尻状の把持部１１ｃは、隣り合う線材５を押し広げるようになり、各凹部１１ａが隣り合う線材５に合致した差し込み位置で、各凹部１１ａの底が線材５を押し広げた状態で嵌め込まれることで、フード本体１１は、線材５の反力で挟み込まれて保持されるようになる。
【００６７】
したがって、フード本体１１を差し込むという簡単な操作だけで、隣り合う線材５の隙間ｔに挟み込んで保持できるようになる。
【００６８】
前記実施形態では、ペット用ゲージ２であったが、天井面部の無いペット用サークルであってもよい。また、ゲージ２若しくはサークルに限られるものではなく、一定の隙間を隔てて横並びで配列された複数本の可撓性線材を少なくとも一部に有する、柵や衝立のような構造体であってもよい。
【００６９】
前記実施形態のペット用固形フード１０は、愛玩動物が食することを想定していたが、前述したように、ウサギやハムスターのような小動物１は、歯で「かじり木」をかじる習性がある。これは、伸び続ける歯を摩耗させることで、歯の長さをコントロールするためである。
【００７０】
そのため、本考案のペット用固形フード１０には、食用そのものではないが、前述のような形状や硬度に設定した、かじるための木、グルテン、コーンスターチ、穀類を固めた物、牧草を固めた物、ヘチマ等の素材も含まれるものである。
【符号の説明】
【００７１】
１      小動物
２      ペット用ゲージ（構造体）
５      線材
１０    ペット用固形フード
１１    フード本体
１１ａ  凹部
１１ｂ  食用部
１１ｃ  把持部
Ｌ      長さ
Ｌ１    食用部の長さ
Ｌ２    把持部の長さ
Ｔ      厚み
Ｗ      幅
Ｗ１    底幅
【図１】
0003177088.tif 000003
【図２】
0003177088.tif 000004
【図３】
0003177088.tif 000005
【図４】
0003177088.tif 000006
【図５】
0003177088.tif 000007
【図６】
0003177088.tif 000008
【図７】
0003177088.tif 000009
【図８】
0003177088.tif 000010
【図９】
0003177088.tif 000011